(57)【要約】【課題】記録時の線速度が変わるような記録システムにおいては、すべての線速度での記録波形パラメータを試し書きで求めることは難しい。このため、いくつかの代表値から、推定することが必要となるがこの精度を向上させる必要がある。【解決手段】高速時の条件と低速時の最適記録波形条件を試し書き等によりもとめ、中間の速度の条件をディスクに記載された推奨値から求める。特にマルチパルス記録波形のマルチパルス部分の波形パラメータを、エネルギーが一定になるような条件で、波形変換することにより、高精度に波形パラメータを決定できる。【選択図】  図３
2004234699.tif 000002
【特許請求の範囲】
【請求項１】
光ディスクにレーザ光を照射して情報を記録する光ディスクの記録波形制御方法であって、前記光ディスクに予め記録された、複数の記録速度に対応した複数の記録波形パラメータを再生し、
該複数の記録波形パラメータのうちの所定の記録速度に対応した記録波形パラメータを所定の方法により記録波形パラメータに変換し、
該変換された記録波形パラメータと、該変換された記録波形パラメータに対応する記録速度以外の前記複数の記録速度に対応した複数の記録波形パラメータとを用いて、前記複数の記録速度以外の記録速度に対応する記録波形パラメータを導き、
該導かれた記録波形パラメータを用いて前記光ディスクに情報を記録することを特徴とする光ディスクの記録波形制御方法。
【請求項２】
請求項１に記載の光ディスクの記録波形制御方法において、前記複数の記録速度以外の記録速度に対応する記録波形パラメータを、前記変換された記録波形パラメータと、該変換された記録波形パラメータに対応する記録速度以外の前記複数の記録速度に対応した複数の記録波形パラメータとを用いて導くことを特徴とする光ディスクの記録波形制御方法。
【請求項３】
記録速度を可変しながら光ディスクに情報を記録する光ディスク装置において、複数の記録速度に対してあらかじめ求められた最適記録波形から、該記録速度以外の任意の速度に対する記録波形パラメータを決定し、該記録波形パラメータに基づいて光ディスクにレーザ光を照射することにより情報の記録を行う光ディスクの記録波形制御方法であって、
少なくとも記録を行う最高速度と最低速度に対する最適な第一、第二の記録波形パラメータと、両者の間の速度に対する最適な第三の記録波形パラメータの３つの情報により、最高速度から最低速度間の各速度に対する記録波形パラメータを導出することを特徴とする光ディスクの記録波形制御方法。
【請求項４】
請求項３に記載の光ディスクの記録波形制御方法において、第一の波形パラメータを決定する最高速度が最外周の速度であり、第二の記録波形パラメータを決定する最低速度が最内周の速度であるような、回転速一定（ＣＡＶ）記録を行う光ディスク記録システムにおいて、最内周と最外周の間の中周での記録速度に対する第三の記録波形パラメータの情報から、内周−外周間の速度に対するＣＡＶ記録時の記録波形パラメータを求めることを特徴とする光ディスクの記録波形制御方法。
【請求項５】
請求項３に記載の記録波形制御方法において、記録波形がマルチパルス部を有し、先頭パルス、マルチパルス部、後方パルス部の３つのブロックに分割され、長マークにおいては、先頭パルスと後方パルスが固定でマルチパルス部のパルス数のみがマーク長に対して増減するような記録波形を使用することを特徴とする光ディスクの記録波形制御方法。
【請求項６】
請求項５に記載の光ディスクの記録波形制御方法において、前記マルチパルス部の単位時間あたりの平均記録エネルギーを線速度が同一の条件においては、同一エネルギーとなるように記録波形パラメータの変換を行うことを特徴とした、記録波形の制御方法。
【請求項７】
請求項６に記載の光ディスクの記録波形制御方法において、マルチパルス部の単位時間あたりの記録エネルギーを一定とするために、バイアス部分のパワーを連続的に変更することを特徴とする光ディスクの記録波形制御方法。
【請求項８】
請求項３に記載の光ディスクの記録波形制御方法において、第一の記録波形パラメータの高速時記録波形パラメータと、第二の記録波形パラメータの低速時記録波形パラメータが試し書きによって決められた最適パラメータであり、両者の間の記録速度における第三の記録波形パラメータはあらかじめディスクに記載された中間速度での推奨パラメータであることを特徴とする光ディスクの記録波形制御方法。
【請求項９】
記録媒体としてＤＶＤ−ＲＡＭを使用し、内周２Ｘから外周５Ｘまで記録するようなＣＡＶ記録するシステムにおいて、第一のパラメータとして５Ｘでの記録波形パラメータを使用し、第二の記録波形パラメータとして２Ｘの波形パラメータを使用し、第三のパラメータとしてディスクに記載された３Ｘ推奨パラメータの３つのパラメータを使用することを特徴とする光ディスクの記録波形制御方法。
【請求項１０】
光ディスクにレーザ光を照射して情報を記録する光ディスク装置であって、
前記光ディスクにレーザ光を照射し、前記光ディスクの反射光を受光して前記光ディスクに記録された情報を再生し、または前記光ディスクに情報を記録する光ピックアップと、
前記光ピックアップのレーザを制御するレーザ駆動装置と、
前記光ピックアップにより前記光ディスクから再生された、複数の記録速度に対応した複数の記録波形パラメータのうち、所定の記録速度に対応した記録波形パラメータを変換した変換記録波形パラメータを用いて、前記複数の速度以外の記録速度に対応する記録波形パラメータを導くマイコンと、
前記マイコンにより導かれた記録波形パラメータを用いて前記レーザ駆動装置を制御するデジタル制御部と、
を有することを特徴とする光ディスク装置。
【請求項１１】
請求項１０に記載の光ディスク装置において、前記マイコンは、前記変換記録波形パラメータと、該変換記録波形パラメータに対応する記録速度以外の前記複数の記録速度に対応した複数の記録波形パラメータとを用いて、前記複数の速度以外の記録速度に対応する記録波形パラメータを導くことを特徴とする光ディスク装置。
【請求項１２】
ディスクに記録されたパラメータを読み取り解析する部分と、パラメータを解析し補間パラメータを作成するためのシーケンスを有し、最高速のパラメータと、最低速のパラメータと中間速のパラメータの少なくとも３つのパラメータから、すべての速度のパラメータを決定するシーケンスを有する記録再生装置。
【請求項１３】
請求項１２記載の光ディスク記録再生装置において、最高速のパラメータを求めるための試し書きシーケンスと最低速での試し書きシーケンスを有し、試し書きによる該２つのパラメータと、ディスクに記載される中間速での第三のパラメータの３つにより、すべての速度のパラメータを決定するシーケンスを有する記録再生装置。
【請求項１４】
光ディスクにレーザ光を照射して情報を記録する光ディスクの記録波形制御方法であって、前記光ディスクに予め記録された記録波形パラメータを再生し、
該記録波形パラメータを、該記録波形パラメータにより記録した場合とエネルギーが一定になるように変換して他の記録波形を導き、
該他の記録波形パラメータを用いて前記光ディスクに情報を記録することを特徴とする光ディスクの記録波形制御方法。
【請求項１５】
ある記録条件について予めディスクに記載されている記録波形パラメータと、その記録条件での装置出力可能な記録波形の発光形状を比較し、ディスク記載の記録波形パラメータでの発光波形の生成が難しいと判断される場合には、エネルギーが一定になるような条件において波形パラメータを変更することを特徴とする記録波形の制御方法。
【請求項１６】
光ディスクにレーザ光を照射して情報を記録する光ディスク装置であって、
前記光ディスクにレーザ光を照射し、前記光ディスクの反射光を受光して前記光ディスクに記録された情報を再生し、または前記光ディスクに情報を記録する光ピックアップと、
前記光ピックアップのレーザを制御するレーザ駆動装置と、
前記光ピックアップにより前記光ディスクから再生された記録波形パラメータを、該記録波形パラメータにより記録した場合とエネルギーが一定になるように変換して他の記録波形パラメータを導くマイコンと、
前記マイコンにより導かれた他の記録波形パラメータを用いて前記レーザ駆動装置を制御するデジタル制御部と、
を有することを特徴とする光ディスク装置。
【請求項１７】
出力可能な記録発光波形の能力が判断可能なパラメータを有する部分と、ディスク記載の推奨パラメータでの発光波形の生成が可能かどうか判断する部分と、波形発光が困難であった場合、エネルギーが一定になるように波形パラメータを変換する部分と、この変換パラメータにより記録波形を生成する部分から形成される情報記録再生装置。
【発明の詳細な説明】
【０００１】
【発明の属する技術分野】
本発明は、半導体レーザを用いて、ディスク上に情報を記録再生する光ディスク装置、特に記録媒体が記録波長に対して特性が異なるような媒体に記録を行う光ディスク装置に関する。
【０００２】
【従来の技術】
線速度を可変しながら記録する記録可能な光ディスクの従来例として、回転速一定（ＣＡＶ）記録を用いた例がある（例えば、特許文献１参照）。本従来例において示される実施例は相変化系材料を用いたオーバライト可能な光ディスクとしてＤＶＤ−ＲＡＭが取り上げられている。従来例においては、このＤＶＤ−ＲＡＭディスクにＣＡＶ記録方式を用いて記録する際の、記録波形の制御情報が記載されており、ＣＡＶ記録方式では、内周から外周に行くに従い、線速度が高速に変化するため、線速度ごとに記録条件を可変する必要があり、このための記録条件を求める手段が記載されている。
【０００３】
【特許文献１】
特開２００３−６８６２号（第５−７頁、第１図）
【０００４】
【発明が解決しようとする課題】
上記従来技術においては、ＣＡＶ記録を行う場合の記録パラメータの制御方法について記載されており、それに従えば、内周および外周のパラメータからＣＡＶ記録のパラメータを決定すると記載されている。しかし、上記従来例においては、外周と内周の条件から他の線速度での記録波形パラメータをもとめる概念が示されているにすぎず、具体的なパラメータの求め方については記載されていない。特に、内周と外周のパラメータの２つを使用する場合の精度については触れられていない。記録波形の制御としては、前端／後端の制御だけでなく、特に本実施例で示されるような相変化膜については、中央部のマルチパルス部分の記録条件の最適化も考慮する必要があるが、上記特許文献１には、記録パラメータとして前端／後端の制御を行うと記載されているのみである。
【０００５】
特に最外周のパラメータと最内周のパラメータについては、試し書きを行うことにより高精度で決定する一方、中間速度でのパラメータとしては試し書きを行わず、ディスクに記載されたパラメータを変換して使用することにより、試し書きの回数を増やすことなく精度を向上することができる。しかしながら、ディスクに記載された中間速度でのパラメータは、ディスク出荷時にディスクに記載される推奨パラメータであるため、必ずしもその記録装置とディスクの組み合わせにおいて最適であるとは限らない。
また、記録の高速化等により性能が上がった状態では、レーザドライバ等性能によっては、低速時は可能だが、高速時に推奨波形を出力できない場合が考えられるが、波形パラメータが出力可能なような波形パラメータに変更することは考慮されていなかった。
【０００６】
従って、本発明は、複数の記録速度にわたって記録精度が高い光ディスク装置を提供し、また、光ディスクに記録された記録波形パラメータから、より望ましい記録波形パラメータを導くことにより記録精度が高い光ディスク装置を提供する。
【０００７】
【課題を解決するための手段】
上記課題を解決するため、本発明における光ディスク装置は、光ディスクにレーザ光を照射し、光ディスクの反射光を受光して光ディスクに記録された情報を再生し、または光ディスクに情報を記録する光ピックアップと、光ピックアップのレーザを制御するレーザ駆動装置と、光ピックアップにより光ディスクから再生された、複数の記録速度に対応した複数の記録波形パラメータのうち、所定の記録速度に対応した記録波形パラメータを変換した変換記録波形パラメータを用いて、複数の速度以外の記録速度に対応する記録波形パラメータを導くマイコンと、マイコンにより導かれた記録波形パラメータを用いてレーザ駆動装置を制御するデジタル制御部とを有する。
【０００８】
また、他の発明における光ディスク装置は、光ディスクにレーザ光を照射し、光ディスクの反射光を受光して光ディスクに記録された情報を再生し、または光ディスクに情報を記録する光ピックアップと、光ピックアップのレーザを制御するレーザ駆動装置と、光ピックアップにより光ディスクから再生された記録波形パラメータを、記録波形パラメータにより記録した場合とエネルギーが一定になるように変換して他の記録波形パラメータを導くマイコンと、マイコンにより導かれた他の記録波形パラメータを用いてレーザ駆動装置を制御するデジタル制御部とを有する。
【０００９】
【発明の実施の形態】
本発明による第１の実施例について図を用いて説明する。図１は本発明による光ディスク記録再生装置のピックアップの構成および主要部分のブロック図を示したものである。本実施例の記録再生装置では光ピックアップ１、記録再生回路部２、ディスク３、スピンドルモータ４等で構成される。
【００１０】
本実施例のシステムは、記録可能なディスクとして使用されるＤＶＤ−ＲＡＭへの記録再生システムに対応するシステムである。レーザダイオード１１は、波長６６０ｎｍ、レーザの最大出力は１００ｍＷのものを使用した。レーザ駆動装置１８は、レーザダイオード１１を制御する。具体的には、レーザダイオード１１の駆動電流を制御し、レーザダイオード１１の発光パワーを制御する。また記録信号に応じレーザ駆動電流をスイッチングし所定の記録パルス波形を作成する。レーザダイオード１１からのレーザ光１２はビームスプリッター１３を通過し、立ち上げプリズム１４により対物レンズ１５へと入射する。対物レンズ１５では、レーザビームをディスク３の媒体上に集光し、これにより記録、再生を行う。
【００１１】
再生時には、ディスク３で反射した光がビームスプリッターによりディテクタ１６に導かれる。ディテクタ１６に入射した戻り光を電気信号に変換された信号は、アナログ検出系２２により演算される。
【００１２】
また、レーザ１１を出射した光の一部は、フロントモニタ１７に直接入射し、これにより電気信号に変換され、アナログ検出系２２に入力する。このフロントモニタ１７の出力は、レーザの発光強度に比例するものであり、レーザ出力をモニターしつつ所定の値に制御するために用いられる。
【００１３】
アナログ検出系２２に入力された信号は、内部で演算処理され、データ用信号、サーボ用信号が生成され、これらがデジタル制御部２１に入力される。デジタル制御部２１では、データ制御部２３、サーボ制御部２４などにより、データ用の信号処理、サーボ用信号処理などを行う。また、本実施例の装置においては、デジタル制御部はＩ／Ｏ制御部２５を有し、これにより外部とのデータの交換を行う。
【００１４】
デジタル制御部で行われる処理は、マイコン２６により行われる。マイコンでは、装置の動作の制御に加え、記録波形パラメータを決定するための処理を行う。記録波形パラメータの決定には、２つの方法がある。
【００１５】
第一の方法は、ディスクに書かれた推奨パラメータを読み込み、これを記録波形パラメータとするものである。この場合、レーザ１１の光をディスク３上に照射し、この反射光を検出器１６で検出する。この信号をアナログ検出系で検出し、デジタル制御部２１のデータ制御部２３でコードし、情報として取り出す。この情報は装置が使用するものであるのでＩ／Ｏ制御部２５から外部に読み出されるデータではなく、内部処理、具体的にはマイコン２６で処理される。
【００１６】
第二の方法としては、試し書きを行い最適パラメータを求めるものである。これはレーザ１１により実際にディスク３に記録をし、その信号の特性により、最適条件を決定するもので、この制御もやはりマイコン２６により行われる。
【００１７】
次に、本実施例において、実際にＤＶＤ−ＲＡＭを用いたＣＡＶ記録の例について説明する。
【００１８】
ＤＶＤ−ＲＡＭディスクは、規格により、２倍速（２Ｘ）の規格とオプションの３倍速（３Ｘ）の規格が決まっており、これらの速度に対応する場合にはあらかじめ、ディスクに記録波形パラメータなどの情報を記録しておく必要がある。本実施例で示すディスクは、内周２Ｘ、５ＸのＣＡＶ記録可能なＤＶＤ−ＲＡＭディスクであるが、すでに決定している２Ｘ、３Ｘの規格を満たすものであり、そのため、２Ｘ、３Ｘディスクの特定領域に、ディスクメディアメーカがあらかじめ決定した２Ｘと３Ｘの条件が記載されている。そして、本実施例で用いるＤＶＤ−ＲＡＭディスクには、これらの２つの条件に加え、５Ｘの条件も記録波形パラメータとして記載されており、全部で３つの記録条件での推奨パラメータが記録されているものである。
【００１９】
２Ｘ、３Ｘ、５ＸでＣＬＶ記録を行なう場合はこのパラメータを用いることができるが、この３つの速度以外に線速度を可変する場合のパラメータ設定はドライブ側で決める必要がある。ＣＡＶ記録を行う場合には、内周が２Ｘ、外周が５Ｘとなり、線速度は順次変化してゆくため、記録波形パラメータもこれに応じて変化させなくてはならない。本実施例では、これら３つのパラメータから、任意の速度のマルチパルス部分のパラメータを導出するものである。
【００２０】
なお、２Ｘと５Ｘのデータは、内周と外周なので、これは記載パラメータと実際のドライブの試し書きデータを得ることができる。しかし、３Ｘに関しては、記載パラメータしか得られない。従って、パラメータデータとしては、２Ｘ、３Ｘ、５Ｘの３つの記載データと２Ｘ、５Ｘの２つの試し書きにより得られたデータの５つのデータを得ることができる。
【００２１】
本実施例における記録再生装置において、ＤＶＤ−ＲＡＭを内周２Ｘ外周５ＸのＣＡＶ記録方式で記録する場合のパラメータ決定のためのフローを、図２を用いて説明する。
【００２２】
まず２Ｘ、３Ｘ、５Ｘのパラメータを読み込みデータ制御部２３内に記憶する。この後、まず、ディスクに記載された２Ｘ、すなわちＣＡＶ記録をした場合の最内周での線速度での推奨条件をもとに試し書きを行いパラメータを微調し、装置独自の最適な記録条件を決定する。次に、５Ｘ、すなわち最外周での線速度においても、同じように最外周において試し書きを行い、装置固有の記録条件を求める。
【００２３】
そして、後に説明する方法によりディスクに記載された３Ｘパラメータを変換し、この変換された３Ｘパラメータと、２Ｘの最適条件と、５Ｘの最適条件の計３つのパラメータにより、２Ｘ−５ＸのＣＡＶ記録を行う際の速度に対する記録波形パラメータを決定することができる。
【００２４】
なお、ディスクに記載された３Ｘパラメータそのものを用いる方法もあるが、ディスクに記載された３Ｘパラメータそのものは、２Ｘ、５Ｘ補間データと異なっているため、これをそのままでは採用すると、２Ｘから５Ｘに変化するパラメータが不連続となり、ＣＡＶ記録をする場合、速度の連続的な変化に対して、波形パラメータが不連続となり、制御が困難となる。また、もっとも簡便には、２Ｘと５Ｘの試し書きデータを用いて補完する方法が考えられるが、２Ｘと５Ｘ間が線形変化をする場合や記録波形の変化に対してマージンがある場合には問題ないものの、精度的に問題が発生する恐れがある。従って本実施例では、パラメータの連続性を維持し、かつ記録の精度を向上させるため、ディスクに記載された３Ｘパラメータを可変速記録に適用可能なパラメータに変換して、この変換されたパラメータと、２Ｘ、５Ｘパラメータとで補完する方法を採用したものである。
【００２５】
上記実施例における記録波形は図３に示すとおりである。図３は、ＤＶＤ−ＲＡＭの記録波形であり、本実施例で示されるＤＶＤ−ＲＡＭディスクには、図３の右側に示す２Ｘ、３Ｘ、５Ｘの３つの波形パラメータが記載されている。これらのパラメータは、それぞれの速度で記録した場合の基本波形である。マルチパルス部分のパラメータを決める際に、マルチパルス部分の１Ｔ間でのエネルギー量を比較すると線速度に応じてエネルギーが必要となるため、２Ｘ＜３Ｘ＜５Ｘとなる。図３に示すようにマルチパルス部分は、記録時のパワーＰｗと、消去パワーに相当するバイアスパワーＰｂにより決定する。バイアスパワーＰｂは、マルチパルス部以外のバイアスパワーＰｂ１とマルチパルス部のバイアスパワーＰｂ３の２つのパワーがある。
【００２６】
図４に、本実施例によるパラメータ決定方式を採用した結果の一例を示す。図４はパラメータの一例としてＰｂ比について示したものである。横軸は線速度、縦軸はＰｂ比であり、Ｐｂ比＝（Ｐｂ３−Ｐｂ１）／（Ｐｗ−Ｐｂ１）で表される。Ｐｂ比は、Ｐｂ１とＰｂ３の関係を表すパラメータであり、Ｐｂ３＝Ｐｂ１の時にＰｂ比＝０で、Ｐｂ３＝Ｐｗなったときに、Ｐｂ比＝１となる。Ａ点は、ディスクに記録されている３Ｘでの最適記録波形のＰｂ比であり、Ｐｂ３＝Ｐｂ１でありＰｂ比は０である。Ｂ点は２Ｘ、５Ｘ間を線形補間した場合の３ＸのＰｂ比で約０．１２である。一方、Ａ点の情報をもとに、後述する方法によりデータ変換したものがＣ点である。そしてこれら、試し書きにより得られた２Ｘと５ＸのＰｂと、３Ｘの変換後のＰｂ（Ｃ点）とにより、点線で示すような２Ｘ−５Ｘ間の速度に対するＰｂが求まる。
【００２７】
次に、ディスクに記載された３Ｘのパラメータから実際に使用するパラメータに変換する方法について、図５を用いて説明する。即ち、図４におけるＣ点の決定方法である。マルチパルスの１Ｔ期間のエネルギーを一定にする。規定のパターンではエネルギー的にＰｗ×Ｔｍｐ＋Ｐｂ１×（１−Ｔｍｐ）で求められる。一方、変換後のストラテジの場合にはＰｗ×Ｔｍｐ＋Ｐｂ３×（１−Ｔｍｐ）として求められる。規定パターンを固定とすると、この等価エネルギーを実現するためのパラメータとしては、Ｐｗ，Ｔｍｐ、Ｐｂ３の３つがある。本実施例においては、Ｐｂ３を変更することにより等価エネルギーを実現した。
【００２８】
図６に実際に補正をした場合の結果を示す。図６の○は２−５Ｘパラメータにより、４Ｘで記録した場合のジッター値でボトム値は７．５％、□は２−３−５Ｘパラメータにより４Ｘ記録条件で７％と、補正データを用いた場合の性能が向上していることを確認できた。
【００２９】
本実施例によれば、３Ｘで記載されたパラメータを採用し、マルチパルス部分のエネルギー計算を基に最適波形を決定でき、これにより性能向上を図ることができる。
【００３０】
次に、本発明による第２の実施例について説明する。第１の実施例では、図４におけるＣ点を用いて２−３−５Ｘパラメータを求めることとしたが、本実施例では、そのようにして求まったパラメータにより記録した結果を用いて、より精度のよいパラメータを決定するものである。
【００３１】
第２の実施例について図７を用いて説明する。基本パラメータを再生した後、３Ｘについては変換パラメータを求め、２Ｘと５Ｘについては実際に試し書きによりドライブに最適なパラメータを求めるのは、第１の実施例と同様である。
【００３２】
次に、２Ｘ、５Ｘの試し書きによるデータから、補完により３Ｘの最適パラメータを計算する。Ｂ点とＣ点が一致する場合には問題無いが、Ｂ点とＣ点が一致しない場合にはいずれかに決定する必要がある。そのため、実際に試し書きを行い性能を確認する。ここでの試し書きは、通常の試し書きのように最初から複数パラメータを変更して試し書きを行うのではなく、決定したパラメータで記録し、その再生信号の品質が仕様を満足するかどうかか確認するための試し書きである。
【００３３】
本実施例では、最初は、Ｃ点を初期値として、このパラメータにより、実際に所定の速度、たとえば４Ｘで記録確認を行い、所定の性能が得られることを確認する。所定の性能を満足すれば、２−３−５Ｘパラメータを本ドライブの可変速記録波形パラメータとして採用することができる。もしＣ点のパラメータが性能を満足しない場合には、Ｂ点よりにパラメータを変更し再度確認を行なう。この繰り返しにより最適パラメータを決定する。
【００３４】
第２の実施例により、中間速度でのパラメータの確認を行うので、より精度の高い記録を行うことができる。
【００３５】
次に、第３の実施例について説明する。上述したように記録が２Ｘから３Ｘ、５Ｘ、それ以上に記録速度の高速化等により性能が上がっていくと、レーザドライバ等性能によっては、低速時は可能だが、高速時に推奨波形を出力できない場合が考えられる。このような場合には、装置の性能と、記録波形パラメータを比較し、以下のように波形パラメータが出力可能なような波形パラメータに変更することで記録を行うことができる。
【００３６】
図８に、ディスクに記載されたパラメータで記録波形が生成できない場合の記録波形パラメータの変換例を示す。たとえば記録波形としてディスクに記載された波形で記録しようとすると、記録装置の能力上の問題からマルチパルスが生成できず、図のようにのこぎり状になってしまう。このような場合でも、エネルギー一定であれば記録は行われるので、記録波形パラメータを調整することにより対応することが可能となる。
【００３７】
図９に具体的な調整例を示す。装置の性能として、記録波形の立ち上がり／立下りの速度が不十分な場合を考える。たとえば、周期Ｔｗが１０ｎｓであるような場合、性能の良い（ア）の波形でも、性能が良くない（イ）の波形でも同様に記録ができる。しかし、更に高速に記録する（ｂ）の条件では、（ア）の条件で設定された波形パラメータで、（イ）の装置で記録しようとすると条件が異なってしまう。これは、周期Ｔｗと立ち上がり速度Ｔｒの関係から決まるもので、Ｔｒ＞Ｔｗ／２の条件では、パラメータを変更する必要がある。
【００３８】
この場合、ＰｗとＰｂをそれぞれΔＰずつ変化させ、Ｐｗ−ΔＰ、Ｐｂ＋ΔＰとすることにより対応する。このときのΔＰは
ΔＰ＝（Ｐｗ−Ｐｂ）／Ｔｒ×（Ｔｒ−Ｔｗ／２）／２
により求められる。
【００３９】
記録装置においては、Ｔｒがわかっているので、ＴｒとＴｗが上記条件となった場合には、自動的にΔＰ値の変換を行うようにした。
【００４０】
本実施例により、たとえば、比較的低速のＴｒしか出ない安価なレーザドライバを使用した場合にも、高速記録に対応できるという効果がある。
【００４１】
なお以上説明した実施例では、ＤＶＤ−ＲＡＭについて説明したが、本発明はＤＶＤ−ＲＡＭに限定されるものではない。特にＤＶＤ−ＲＷ，＋ＲＷというような相変化材料でにおいては、ＤＶＤ―ＲＡＭと同様のマルチパルスを使用しており、マルチパルス部分のエネルギー換算は同じように適用できる。
【００４２】
【発明の効果】
本発明によれば、記録波形を最適に制御することができ、精度の良い記録を行うことができる。
【００４３】
また、記録波形パラメータを変換することにより、例えば記録装置の性能（特にレーザ駆動部の性能）が低い場合にも良好に情報を記録することができる。
【図面の簡単な説明】
【図１】第１の実施例に示す記録再生装置のブロック図である。
【図２】第１の実施例における記録波形パラメータ決定フローである。
【図３】記録波形の説明図である。
【図４】記録波形の補正方法を示す図である。
【図５】記録波形パラメータの変換方法例を示す図である。
【図６】記録波形の補正による性能向上を示す図である。
【図７】第２の実施例における記録波形パラメータ決定フローである。
【図８】記録波形の説明図である。
【図９】記録波形の調整例を示す図である。
【符号の説明】
１  光ピックアップ
２  記録再生回路
３  光ディスク
４  スピンドルモータ
１１  レーザダイオード
１５  対物レンズ
１６  光検出器
１７  フロントモニター
１８  レーザ駆動装置
２１  デジタル制御部
２２  アナログ検出系
２５  マイコン
【図１】
2004234699.tif 000003
【図２】
2004234699.tif 000004
【図３】
2004234699.tif 000005
【図４】
2004234699.tif 000006
【図５】
2004234699.tif 000007
【図６】
2004234699.tif 000008
【図７】
2004234699.tif 000009
【図８】
2004234699.tif 000010
【図９】
2004234699.tif 000011